(57)【要約】      （修正有）【課題】資源保存と自然環境と電力の確保を計る波力スライド発電システムを提供する。【解決手段】海岸に堤防１と段差付斜面２を設置し、堤防に支柱９を設置、支柱を支点として揺動可能な梃子棒１１を設置し、力点側には水面に浮かべた船４に取り付けられ水位に応じて上下可能な上下装置（ピストン７）の一方の端部が波の大きさに合わせて力点を移動できるように固定及び固定解除機８を介して取り付ける、作用点側に長方形穴１２をあけて、穴にクランク１３の一端を浸入させて、クランクの他端を発電機１４に連結し、梃子棒の揺動でクランクと発電機を作動する。【選択図】図１
2010019241.tif 000002
【特許請求の範囲】
【請求項１】
波の発生する場所に波止めの堤防（１）と堤防（１）の下の水中に段差付斜面（２）を設置し、該堤防（１）の上に支柱（９）を設置すると共に、該支柱（９）を支点（１０）として揺動可能な梃子棒（１１）を設置し、該梃子棒（１１）の力点側には、水面に浮かべた船に取り付けられ水位に応じて上下可能な油圧式上下装置（６）のピストン（７）の一方の端部が、波の大きさに合わせて力点を移動できるように油圧式固定及び固定解除機（８）を介して取り付ける、該梃子棒（１１）の作用点側に長方形穴（１２）をあけて、該長方形穴（１２）にクランク（１３）の一端を浸入させて該長方形穴（１２）を該クランク（１３）がスライド自在にし、該クランク（１３）の他端を発電機（１４）に連結し、梃子棒の揺動でクランクと発電機を作動して発電をする、波力スライド発電システム。
【請求項２】
作用点側の該梃子棒（１１）に永久磁石（１５）を取り付け、該永久磁石の回りにコイル（１６）を設置し、梃子棒（１１）の上下に滑車（１７）を設置し、梃子棒の先端に２本のワイヤー（１８）を固定し、個々の該ワイヤー（１８）を上下の該滑車（１７）に架け、該ワイヤーの先端を該コイル（１６）の上部と下部に固定し、梃子棒の揺動に伴い該滑車（１７）の左右回転と該ワイヤーと該コイルをスライド自在し、スライドする永久磁石（１５）とコイル（１６）が同時に逆方向にスライドさせて磁界とコイルの電磁誘導の速度を上げる事を特徴とし発電をするように構成されている波力を利用した波力スライド発電システム。
【発明の詳細な説明】
【技術分野】
【０００１】本発明は、電力生産を目標とする波力スライド発電システムに関するものである。
【背景技術】
【０００２】従来の火力発電は、石油価格の暴騰によりコスト高である。原子力発電は、放射能の漏れの危険性あり、現在は地震により破壊されて操業停止状態である。太陽光発電は、パネルの生産に大量の資源と大量の動力が消費される、消費者の負担も大である。家庭用燃料電池は、ガスは有限であるから未来は消滅する、製品が大きくて部屋の空間を狭くする。【０００３】本発明は、自然（波力）エネルギーなので経済的である。地球上には波力は無限に存在する。日本国は海に囲まれているので利用度が絶大である。磁石とコイルの両方を逆方向にスライドさせ速度を２倍に上げて電力生産を上げる。
【発明の開示】
【発明が解決しょうとする課題】
【０００４】本発明は、上記の問題点に鑑み資源保存と電力生産を計る、波力スライド発電システムを提供せんとするものである。
【課題を解決するための手段】
【０００５】  波の発生する場所に波止めの堤防（１）と堤防（１）の下の水中に段差付斜面（２）を設置し、該堤防（１）の上に支柱（９）を設置すると共に、該支柱（９）を支点（１０）として揺動可能な梃子棒（１１）を設置し、該梃子棒（１１）の力点側には、水面に浮かべた船に取り付けられ水位に応じて上下可能な油圧式上下装置（６）のピストン（７）の一方の端部が、波の大きさに合わせて力点を移動できるように油圧式固定及び固定解除機（８）を介して取り付けられ、該梃子棒（１１）の作用点側に長方形穴（１２）をあけて、該長方形穴（１２）にクランク（１３）の一端を浸入させて該長方形穴（１２）を該クランク（１３）がスライド自在にする、該クランク（１３）の他端を発電機（１４）に連結をする。
作用点側の該梃子棒（１１）に永久磁石（１５）を取り付け、該永久磁石の回りにコイル（１６）を設置し、梃子棒（１１）の上下に滑車（１７）を設置し、梃子棒の先端に２本のワイヤー（１８）を固定し、個々の該ワイヤー（１８）を上下の該滑車（１７）に架け、該ワイヤーの先端を該コイル（１６）の上部と下部に固定する、梃子棒（１１）の揺動に伴いスライドする永久磁石（１５）とコイル（１６）が同時に逆方向にスライドさせる。
【発明の効果】
【０００６】本発明は、自然（波力）エネルギーより燃料が不必要なので経済効果が抜群である。
【発明を実施するための最良の形態】
【０００７】石油の暴騰で操業中止中の漁船を活用する、地球上は海の面積が広大なので本は発明の設置が容易である。
【実施１】
【０００８】小波の場合は固定及び固定解除機を解除して船を支点方向に移動させてから梃子棒に固定及び固定解除機を固定する、大波の場合は固定及び固定解除機を解除して支点の逆方向に船を移動して梃子棒に固定及び固定解除機を固定する、満潮時の場合は上下装置のピストンを短くして船と力点の間を狭くする、干潮時の場合は上下装置のピストンを長くして船と力点の閧を長くする、波力で船が上下に揺れて同時に梃子棒に連動し梃子棒の揺動に伴いクランクと永久磁石とコイルがスライドして発電をする。
【産業上の利用可能性】
【０００９】現社会は電化時代であるので今後ますます電力の需要が拡大するので各産業界から必然的に求められる。
【図面の簡単な説明】
【００１０】
【図１】本発明の全体、波が途切れて全体が停止をした状態を示した正面図である。
【図２】作用点側の梃子棒と磁石とクランクが下に下がりコイルが上に上がった状態を示した正面図である。
【符号の説明】
【００１１】１・・堤防                                １１・梃子棒
２・・段差付斜面                          １２・長方形穴
３・・波                                  １３・クランク
４・・船                                  １４・発電機
５・・杭                                  １５・永久磁石
６・・上下装置                            １６・コイル（コイルの線を省略）
７・・ピストン                            １７・滑車
８・・固定及び固定解除機                  １８・ワイヤー
９・・支柱                                １９・矢印は移動方向を示す
１０・梃子の支点
【図１】
2010019241.tif 000003
【図２】
2010019241.tif 000004
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
波の発生する場所に波止めの堤防（１）と堤防（１）の下の水中に段差付斜面（２）を設置し、該堤防（１）の上に支柱（９）を設置すると共に、該支柱（９）を支点（１０）として揺動可能な梃子棒（１１）を設置し、該梃子棒（１１）の力点側には、水面に浮かべた船に取り付けられ水位に応じて上下可能な油圧式上下装置（６）のピストン（７）の一方の端部を、波の大きさに合わせて力点を移動できるように油圧式固定及び固定解除機（８）を介して取り付け、該梃子棒（１１）の作用点側に長方形穴（１２）をあけて、該長方形穴（１２）にクランク（１３）の一端を浸入させて該長方形穴（１２）を該クランク（１３）がスライド自在にし、該クランク（１３）の他端を発電機（１４）に連結し、梃子棒の揺動でクランクと発電機を作動して発電をする、波力スライド発電システムにおいて、  作用点側の該梃子棒（１１）に永久磁石（１５）を取り付け、該永久磁石の回りにコイル（１６）を設置し、梃子棒（１１）の上下に滑車（１７）を設置し、梃子棒の先端に２本のワイヤー（１８）を固定し、個々の該ワイヤー（１８）を上下の該滑車（１７）に架け、該ワイヤーの先端を該コイル（１６）の上部と下部に固定し、梃子棒の揺動に伴い該滑車（１７）の左右回転により該ワイヤーと該コイルをスライド自在にし、スライドする永久磁石（１５）とコイル（１６）が同時に逆方向にスライドさせて磁界とコイルの電磁誘導の速度を上げる事を特徴とし発電をするように構成されている波力を利用した波力スライド発電システム。